(57)【要約】【課題】  画像形成装置に接続されているデバイスに応じて利用者を適切に認証することができる印刷システムを提供する。【解決手段】  印刷システムは、ＭＦＰに接続されているキオスク端末のカメラによって撮影した利用者の画像と、利用者によって携帯される携帯端末のカメラによって撮影した利用者の画像と、ＭＦＰのスキャナーによって読み取った利用者の身分証明書の画像とのいずれかに基づいて利用者を認証する特定情報認証を実行する利用者認証部と、特定情報認証が成功した場合にクーポン画像を印刷するＭＦＰとを備え、ＭＦＰは、特定情報認証に使用される情報を、ＭＦＰ自身に接続されているキオスク端末またはコインベンダーに応じたものにする（Ｓ１４２〜Ｓ１４５）ことを特徴とする。【選択図】  図１２
2020113091.tif 000002
【特許請求の範囲】
【請求項１】
特定の情報に基づいて利用者を認証する特定情報認証を実行する利用者認証部と、
前記特定情報認証が成功した場合に特定の画像を印刷する画像形成装置と
を備え、
前記画像形成装置は、前記特定の情報を、自身に接続されているデバイスに応じたものにすることを特徴とする印刷システム。
【請求項２】
前記画像形成装置は、前記デバイスがカメラを備えている場合、前記デバイスの前記カメラによって撮影した前記利用者の画像を前記特定の情報の少なくとも１つとすることを特徴とする請求項１に記載の印刷システム。
【請求項３】
前記画像形成装置は、前記デバイスがカメラを備えていない場合、前記利用者によって携帯される携帯端末のカメラによって撮影した前記利用者の画像を前記特定の情報の少なくとも１つとすることを特徴とする請求項１または請求項２に記載の印刷システム。
【請求項４】
前記画像形成装置は、スキャナーを備え、
前記画像形成装置は、前記デバイスがカメラを備えていない場合、前記スキャナーによって読み取った、前記利用者の身分証明書の画像を前記特定の情報の少なくとも１つとすることを特徴とする請求項１から請求項３までのいずれかに記載の印刷システム。
【請求項５】
前記利用者認証部は、前記特定情報認証が成功した場合に、前記利用者によって携帯される携帯端末にワンタイムパスワードを通知し、
前記画像形成装置は、前記ワンタイムパスワードが入力され、
前記利用者認証部は、前記画像形成装置に入力された前記ワンタイムパスワードに基づいて前記利用者を認証するワンタイムパスワード認証を実行し、
前記画像形成装置は、前記特定情報認証が成功した場合であっても、前記ワンタイムパスワード認証が成功しなかったときに前記特定の画像を印刷しないことを特徴とする請求項１に記載の印刷システム。
【請求項６】
前記特定の画像の識別情報と、前記利用者との対応関係を示す対応関係情報を管理する対応関係情報管理部を備え、
前記対応関係情報管理部は、前記対応関係情報において前記識別情報に対応付けた前記利用者に、この識別情報を通知し、
前記画像形成装置は、前記識別情報が入力され、
前記画像形成装置は、前記特定情報認証が成功した場合であっても、自身に入力された前記識別情報が、前記特定情報認証によって特定された前記利用者に、前記対応関係情報において対応付けられていないときに、この識別情報によって特定される前記特定の画像を印刷しないことを特徴とする請求項１に記載の印刷システム。
【請求項７】
前記識別情報によって特定される前記特定の画像が前記画像形成装置によって印刷された履歴を示す印刷履歴情報を管理する印刷履歴情報管理部を備え、
前記画像形成装置は、前記特定情報認証が成功した場合に、自身に入力された前記識別情報が、前記特定情報認証によって特定された前記利用者に、前記対応関係情報において対応付けられているときであっても、この識別情報によって特定される前記特定の画像が特定の回数印刷されたことが前記印刷履歴情報において示されているときに、この画像を印刷しないことを特徴とする請求項６に記載の印刷システム。
【発明の詳細な説明】
【技術分野】
【０００１】
本発明は、利用者の認証が成功した場合に特定の画像を印刷する印刷システムに関する。
【背景技術】
【０００２】
従来、利用者の認証が成功した場合に特定の画像を印刷する印刷システムが知られている（例えば、特許文献１−３参照。）。
【先行技術文献】
【特許文献】
【０００３】
【特許文献１】特開２００５−３０９８８８号公報
【特許文献２】特開２００６−１３３８４７号公報
【特許文献３】特開２０１５−０７０４４８号公報
【発明の概要】
【発明が解決しようとする課題】
【０００４】
しかしながら、従来の印刷システムにおいては、画像形成装置に接続されるデバイスが異なる複数の構成について考慮されていないという問題がある。利用者の認証方法としては、画像形成装置に接続されるデバイスに応じた適切なものが存在すると考えられる。
【０００５】
そこで、本発明は、画像形成装置に接続されているデバイスに応じて利用者を適切に認証することができる印刷システムを提供することを目的とする。
【課題を解決するための手段】
【０００６】
本発明の印刷システムは、特定の情報に基づいて利用者を認証する特定情報認証を実行する利用者認証部と、前記特定情報認証が成功した場合に特定の画像を印刷する画像形成装置とを備え、前記画像形成装置は、前記特定の情報を、自身に接続されているデバイスに応じたものにすることを特徴とする。
【０００７】
この構成により、本発明の印刷システムは、特定の情報に基づいて利用者を認証する特定情報認証を実行する場合に、特定情報認証に使用する情報を、画像形成装置に接続されているデバイスに応じたものにするので、画像形成装置に接続されているデバイスに応じて利用者を適切に認証することができる。
【０００８】
本発明の印刷システムにおいて、前記画像形成装置は、前記デバイスがカメラを備えている場合、前記デバイスの前記カメラによって撮影した前記利用者の画像を前記特定の情報の少なくとも１つとしても良い。
【０００９】
この構成により、本発明の印刷システムは、画像形成装置に接続されているデバイスのカメラによって撮影した利用者の画像に基づいて利用者を認証するので、利用者によって携帯される携帯端末のカメラによって撮影した利用者の画像に基づいて利用者を認証する構成と比較して、利便性を向上することができる。
【００１０】
本発明の印刷システムにおいて、前記画像形成装置は、前記デバイスがカメラを備えていない場合、前記利用者によって携帯される携帯端末のカメラによって撮影した前記利用者の画像を前記特定の情報の少なくとも１つとしても良い。
【００１１】
この構成により、本発明の印刷システムは、画像形成装置に接続されているデバイスがカメラを備えていなくても、利用者によって携帯される携帯端末のカメラによって撮影した利用者の画像に基づいて利用者を認証するので、利用者の身分証明書の画像に基づいて利用者を認証する構成と比較して、利用者のなりすましを防止する能力を向上することができる。
【００１２】
本発明の印刷システムにおいて、前記画像形成装置は、スキャナーを備え、前記画像形成装置は、前記デバイスがカメラを備えていない場合、前記スキャナーによって読み取った、前記利用者の身分証明書の画像を前記特定の情報の少なくとも１つとしても良い。
【００１３】
この構成により、本発明の印刷システムは、画像形成装置に接続されているデバイスがカメラを備えていなくても、利用者によって携帯される携帯端末のカメラを使用せずに、画像形成装置のスキャナーによって読み取った身分証明書の画像に基づいて利用者を認証するので、利便性を向上することができる。
【００１４】
本発明の印刷システムにおいて、前記利用者認証部は、前記特定情報認証が成功した場合に、前記利用者によって携帯される携帯端末にワンタイムパスワードを通知し、前記画像形成装置は、前記ワンタイムパスワードが入力され、前記利用者認証部は、前記画像形成装置に入力された前記ワンタイムパスワードに基づいて前記利用者を認証するワンタイムパスワード認証を実行し、前記画像形成装置は、前記特定情報認証が成功した場合であっても、前記ワンタイムパスワード認証が成功しなかったときに前記特定の画像を印刷しなくても良い。
【００１５】
この構成により、本発明の印刷システムは、画像形成装置と、携帯端末とを連携させた２段階認証を実現するので、利用者の認証の正確性を向上することができる。
【００１６】
本発明の印刷システムは、前記特定の画像の識別情報と、前記利用者との対応関係を示す対応関係情報を管理する対応関係情報管理部を備え、前記対応関係情報管理部は、前記対応関係情報において前記識別情報に対応付けた前記利用者に、この識別情報を通知し、前記画像形成装置は、前記識別情報が入力され、前記画像形成装置は、前記特定情報認証が成功した場合であっても、自身に入力された前記識別情報が、前記特定情報認証によって特定された前記利用者に、前記対応関係情報において対応付けられていないときに、この識別情報によって特定される前記特定の画像を印刷しなくても良い。
【００１７】
この構成により、本発明の印刷システムは、画像形成装置に入力された識別情報が、特定の情報に基づいて認証された利用者に、対応関係情報において対応付けられていなければ、この識別情報によって特定される画像を印刷しないので、利用者に対応付けられていない画像の不正な印刷を防止することができる。
【００１８】
本発明の印刷システムは、前記識別情報によって特定される前記特定の画像が前記画像形成装置によって印刷された履歴を示す印刷履歴情報を管理する印刷履歴情報管理部を備え、前記画像形成装置は、前記特定情報認証が成功した場合に、自身に入力された前記識別情報が、前記特定情報認証によって特定された前記利用者に、前記対応関係情報において対応付けられているときであっても、この識別情報によって特定される前記特定の画像が特定の回数印刷されたことが前記印刷履歴情報において示されているときに、この画像を印刷しなくても良い。
【００１９】
この構成により、本発明の印刷システムは、画像形成装置に入力された識別情報によって特定される画像が画像形成装置によって既に特定の回数印刷済みである場合に、この識別情報によって特定される画像を印刷しないので、画像が特定の回数を超えて不正に印刷されることを防止することができる。
【発明の効果】
【００２０】
本発明の印刷システムは、画像形成装置に接続されているデバイスに応じて利用者を適切に認証することができる。
【図面の簡単な説明】
【００２１】
【図１】本発明の一実施の形態に係るシステムのブロック図である。
【図２】図１に示すＭＦＰのブロック図である。
【図３】図１に示すキオスク端末のブロック図である。
【図４】１台のコンピューターによって構成される場合の図１に示すクーポン発行システムのブロック図である。
【図５】図４に示す利用者情報リストの一例を示す図である。
【図６】図４に示すワンタイムパスワードリストの一例を示す図である。
【図７】図４に示す印刷履歴情報の一例を示す図である。
【図８】図１に示す利用者端末のブロック図である。
【図９】図１に示す携帯端末のブロック図である。
【図１０】利用者端末を介して利用者情報がクーポン発行システムに登録される場合の図１に示すシステムの動作のシーケンス図である。
【図１１】クーポンの発行用のシリアル番号が利用者に通知される場合の図１に示すシステムの動作のシーケンス図である。
【図１２】カメラ有り画像形成システムによってクーポンが発行される場合にカメラ有り画像形成システムにワンタイムパスワードが入力されるまでの図１に示すシステムの動作のシーケンス図である。
【図１３】図１２に示す照会処理のフローチャートである。
【図１４】カメラ有り画像形成システムによってクーポンが発行される場合にカメラ有り画像形成システムにワンタイムパスワードが入力されてからの図１に示すシステムの動作のシーケンス図である。
【図１５】図１４に示す処理において生成されたクーポン画像の一例を示す図である。
【図１６】カメラ無し画像形成システムによってクーポンが発行される場合の図１に示すシステムの動作の一部のシーケンス図である。
【発明を実施するための形態】
【００２２】
以下、本発明の実施の形態について、図面を用いて説明する。
【００２３】
図１は、本発明の一実施の形態に係るシステム１０のブロック図である。
【００２４】
図１に示すように、システム１０は、カメラを備えている画像形成システム（以下「カメラ有り画像形成システム」という。）２０を備えている。カメラ有り画像形成システム２０は、画像形成装置としてのＭＦＰ（Ｍｕｌｔｉｆｕｎｃｔｉｏｎ  Ｐｅｒｉｐｈｅｒａｌ）３０と、ＭＦＰ３０に接続されてＭＦＰ３０の機能を補強するためにＭＦＰ３０と連携して動作するデバイスとしてのキオスク端末４０とを備えている。システム１０は、カメラ有り画像形成システム２０以外にも、カメラ有り画像形成システム２０と同様の構成のカメラ有り画像形成システムを少なくとも１つ備えることが可能である。システム１０におけるカメラ有り画像形成システムは、コンビニエンスストアなどの小売業などの店舗に設置されている。システム１０には、複数のカメラ有り画像形成システムが設置される店舗も存在するし、カメラ有り画像形成システムが設置されない店舗も存在する。
【００２５】
システム１０は、カメラを備えていない画像形成システム（以下「カメラ無し画像形成システム」という。）５０を備えている。カメラ無し画像形成システム５０は、画像形成装置としてのＭＦＰ６０と、ＭＦＰ６０に接続されるデバイスとしてのコインベンダー５１とを備えている。ＭＦＰ６０の構成は、ＭＦＰ３０の構成と同様である。システム１０は、カメラ無し画像形成システム５０以外にも、カメラ無し画像形成システム５０と同様の構成のカメラ無し画像形成システムを少なくとも１つ備えることが可能である。システム１０におけるカメラ無し画像形成システムは、コンビニエンスストアなどの小売業などの店舗に設置されている。システム１０には、複数のカメラ無し画像形成システムが設置される店舗も存在するし、カメラ無し画像形成システムが設置されない店舗も存在する。
【００２６】
カメラ有り画像形成システムは、カメラ無し画像形成システムが設置される店舗に設置されても良いし、カメラ無し画像形成システムが設置されない店舗に設置されても良い。同様に、カメラ無し画像形成システムは、カメラ有り画像形成システムが設置される店舗に設置されても良いし、カメラ有り画像形成システムが設置されない店舗に設置されても良い。
【００２７】
カメラ有り画像形成システムは、カメラ無し画像形成システムより機能が豊富で操作性も良い。一方、カメラ無し画像形成システムは、カメラ有り画像形成システムより小型である。したがって、店舗にＭＦＰが設置される場合、カメラ有り画像形成システムが設置されるためのスペースが存在する店舗には、カメラ無し画像形成システムではなく、カメラ有り画像形成システムが設置されることが好ましいが、カメラ有り画像形成システムが設置されるためのスペースが存在しない店舗には、カメラ無し画像形成システムが設置される。
【００２８】
システム１０は、店舗で利用されるクーポンを発行するクーポン発行システム７０を備えている。クーポン発行システム７０は、１つのコンピューターによって構成されても良いし、複数のコンピューターによって構成されても良い。カメラ有り画像形成システムと、クーポン発行システム７０とを含むシステムは、本発明の印刷システムを構成している。同様に、カメラ無し画像形成システムと、クーポン発行システム７０とを含むシステムは、本発明の印刷システムを構成している。
【００２９】
システム１０は、利用者によって利用される例えばＰＣ（Ｐｅｒｓｏｎａｌ  Ｃｏｍｐｕｔｅｒ）などの利用者端末８０を備えている。システム１０は、利用者端末８０以外にも、利用者端末８０と同様の構成の利用者端末を少なくとも１つ備えることが可能である。
【００３０】
システム１０は、利用者によって携帯される例えばスマートフォンなどの携帯端末９０を備えている。システム１０は、携帯端末９０以外にも、携帯端末９０と同様の構成の携帯端末を少なくとも１つ備えることが可能である。
【００３１】
クーポン発行システム７０は、カメラ有り画像形成システム、カメラ無し画像形成システム、利用者端末および携帯端末と、インターネットを介して通信可能である。携帯端末は、カメラ有り画像形成システムおよびカメラ無し画像形成システムと、例えばＢｌｕｅｔｏｏｔｈ（登録商標）、Ｗｉ−Ｆｉ  Ｄｉｒｅｃｔ（登録商標）などの無線通信によって通信可能である。
【００３２】
図２は、ＭＦＰ３０のブロック図である。
【００３３】
図２に示すように、ＭＦＰ３０は、種々の操作が入力される例えばボタンなどの操作デバイスである操作部３１と、種々の情報を表示する例えばＬＣＤ（Ｌｉｑｕｉｄ  Ｃｒｙｓｔａｌ  Ｄｉｓｐｌａｙ）などの表示デバイスである表示部３２と、用紙などの記録媒体に画像を印刷する印刷デバイスであるプリンター３３と、原稿から画像を読み取る読取デバイスであるスキャナー３４と、図示していない外部のファクシミリ装置と公衆電話回線などの通信回線経由でファックス通信を行うファックスデバイスであるファックス通信部３５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部３６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００３４】
操作部３１の少なくとも一部は、表示部３２とともに、タッチパネルを構成している。
【００３５】
制御部３８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部３８のＣＰＵの作業領域として用いられるメモリーとしてのＲＡＭとを備えている。制御部３８のＣＰＵは、記憶部３７または制御部３８のＲＯＭに記憶されているプログラムを実行する。
【００３６】
なお、制御部３８は、ＭＦＰ３０がキオスク端末４０（図１参照。）と接続されている場合には、操作部３１に入力された操作を受け付けないようになっている。同様に、制御部３８は、ＭＦＰ３０がキオスク端末４０と接続されている場合には、表示部３２に例えば全面が黒い画面を表示させるなどして、表示部３２に情報を表示させないようになっている。
【００３７】
図３は、キオスク端末４０のブロック図である。
【００３８】
図３に示すように、キオスク端末４０は、種々の操作が入力される例えばボタンなどの操作デバイスである操作部４１と、種々の情報を表示する例えばＬＣＤなどの表示デバイスである表示部４２と、撮影デバイスであるカメラ４３と、ＬＡＮ、インターネットなどのネットワーク経由で、または、ネットワークを介さずに有線または無線によって直接に、外部の装置と通信を行う通信デバイスである通信部４４と、各種の情報を記憶する例えば半導体メモリー、ＨＤＤなどの不揮発性の記憶デバイスである記憶部４５と、キオスク端末４０全体を制御する制御部４６とを備えている。
【００３９】
操作部４１の少なくとも一部は、表示部４２とともに、タッチパネルを構成している。
【００４０】
表示部４２は、ＭＦＰ３０（図２参照。）の表示部３２（図２参照。）と比較して、高精細な画像を表示することが可能である。
【００４１】
制御部４６は、例えば、ＣＰＵと、プログラムおよび各種のデータを記憶しているＲＯＭと、制御部４６のＣＰＵの作業領域として用いられるメモリーとしてのＲＡＭとを備えている。制御部４６のＣＰＵは、記憶部４５または制御部４６のＲＯＭに記憶されているプログラムを実行する。
【００４２】
図４は、１台のコンピューターによって構成される場合のクーポン発行システム７０のブロック図である。
【００４３】
図４に示すクーポン発行システム７０は、種々の操作が入力される例えばキーボード、マウスなどの操作デバイスである操作部７１と、種々の情報を表示する例えばＬＣＤなどの表示デバイスである表示部７２と、ＬＡＮ、インターネットなどのネットワーク経由で、または、ネットワークを介さずに有線または無線によって直接に、外部の装置と通信を行う通信デバイスである通信部７３と、各種の情報を記憶する例えば半導体メモリー、ＨＤＤなどの不揮発性の記憶デバイスである記憶部７４と、クーポン発行システム７０全体を制御する制御部７５とを備えている。
【００４４】
記憶部７４は、クーポンを発行するためのクーポン発行プログラム７４ａを記憶している。クーポン発行プログラム７４ａは、例えば、クーポン発行システム７０の製造段階でクーポン発行システム７０にインストールされていても良いし、例えばＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの外部記憶媒体からクーポン発行システム７０に追加でインストールされても良いし、ネットワーク上からクーポン発行システム７０に追加でインストールされても良い。
【００４５】
記憶部７４は、クーポンの発行用のシリアル番号のリストであるシリアル番号リスト７４ｂと、利用者の情報を示す利用者情報のリストである利用者情報リスト７４ｃと、シリアル番号および利用者の対応関係を示す対応関係情報７４ｄと、クーポンの発行用のワンタイムパスワードのリストであるワンタイムパスワードリスト７４ｅと、クーポンの印刷の履歴を示す印刷履歴情報７４ｆとを記憶可能である。
【００４６】
クーポンの発行用のシリアル番号は、クーポンの識別情報である。シリアル番号リスト７４ｂは、クーポン発行システム７０以外のシステムによって生成されたものでも良い。
【００４７】
図５は、利用者情報リスト７４ｃの一例を示す図である。
【００４８】
図５に示すように、利用者情報リスト７４ｃは、利用者毎に利用者情報を示している。利用者情報は、例えば、利用者の姓名と、利用者の性別と、利用者の生年月日と、利用者の携帯電話番号と、利用者の電子メールアドレスと、クーポン発行システム７０にログインするための、利用者のパスワードと、利用者の顔を識別するための顔識別情報と、例えば運転免許証、保険証などの利用者の身分証明書の画像とを利用者毎に含んでいる。図５においては、顔識別情報の具体例と、身分証明書の画像の具体例とを省略して描いている。なお、身分証明書の画像は、例えば、利用者情報リスト７４ｃに含まれる利用者の姓名、性別、生年月日などの各種の情報に誤りが存在しないことを管理者によって確認されるために使用されても良い。
【００４９】
図６は、ワンタイムパスワードリスト７４ｅの一例を示す図である。
【００５０】
図６に示すように、ワンタイムパスワードリスト７４ｅは、ワンタイムパスワードに関連付けてシリアル番号を記憶している。
【００５１】
図７は、印刷履歴情報７４ｆの一例を示す図である。
【００５２】
図７に示すように、印刷履歴情報７４ｆに示される履歴は、クーポンの印刷の日時と、クーポンの印刷に使用されたシリアル番号とをクーポンの発行毎に含んでいる。
【００５３】
図４に示す制御部７５は、例えば、ＣＰＵと、プログラムおよび各種のデータを記憶しているＲＯＭと、制御部７５のＣＰＵの作業領域として用いられるメモリーとしてのＲＡＭとを備えている。制御部７５のＣＰＵは、記憶部７４または制御部７５のＲＯＭに記憶されているプログラムを実行する。
【００５４】
制御部７５は、クーポン発行プログラム７４ａを実行することによって、利用者情報リスト７４ｃを管理する利用者情報管理部７５ａと、対応関係情報７４ｄを管理する対応関係情報管理部７５ｂと、印刷履歴情報７４ｆを管理する印刷履歴情報管理部７５ｃと、利用者を認証する利用者認証部７５ｄとを実現する。
【００５５】
図８は、利用者端末８０のブロック図である。
【００５６】
図８に示すように、利用者端末８０は、種々の操作が入力される例えばキーボード、マウスなどの操作デバイスである操作部８１と、種々の情報を表示する例えばＬＣＤなどの表示デバイスである表示部８２と、撮影デバイスであるカメラとしてのＷｅｂカメラ８３と、ＬＡＮ、インターネットなどのネットワーク経由で、または、ネットワークを介さずに有線または無線によって直接に、外部の装置と通信を行う通信デバイスである通信部８４と、各種の情報を記憶する例えば半導体メモリー、ＨＤＤなどの不揮発性の記憶デバイスである記憶部８５と、利用者端末８０全体を制御する制御部８６とを備えている。
【００５７】
制御部８６は、例えば、ＣＰＵと、プログラムおよび各種のデータを記憶しているＲＯＭと、制御部８６のＣＰＵの作業領域として用いられるメモリーとしてのＲＡＭとを備えている。制御部８６のＣＰＵは、記憶部８５または制御部８６のＲＯＭに記憶されているプログラムを実行する。
【００５８】
図９は、携帯端末９０のブロック図である。
【００５９】
図９に示すように、携帯端末９０は、種々の操作が入力される例えばボタンなどの操作デバイスである操作部９１と、種々の情報を表示する例えばＬＣＤなどの表示デバイスである表示部９２と、撮影デバイスであるカメラ９３と、ＬＡＮ、インターネットなどのネットワーク経由で、または、ネットワークを介さずに有線または無線によって直接に、外部の装置と通信を行う通信デバイスである通信部９４と、移動体通信によって通信を行う通信デバイスである移動体通信部９５と、各種の情報を記憶する例えば半導体メモリー、ＨＤＤなどの不揮発性の記憶デバイスである記憶部９６と、携帯端末９０全体を制御する制御部９７とを備えている。
【００６０】
制御部９７は、例えば、ＣＰＵと、プログラムおよび各種のデータを記憶しているＲＯＭと、制御部９７のＣＰＵの作業領域として用いられるメモリーとしてのＲＡＭとを備えている。制御部９７のＣＰＵは、記憶部９６または制御部９７のＲＯＭに記憶されているプログラムを実行する。
【００６１】
次に、システム１０の動作について説明する。
【００６２】
まず、利用者端末８０を介して利用者情報がクーポン発行システム７０に登録される場合のシステム１０の動作について説明する。
【００６３】
図１０は、利用者端末８０を介して利用者情報がクーポン発行システム７０に登録される場合のシステム１０の動作のシーケンス図である。
【００６４】
クーポンの発行を希望する利用者は、利用者端末８０にインストールされているアプリケーション経由や、利用者端末８０のＷｅｂブラウザー上で動作するＷｅｂアプリケーション経由でクーポン発行システム７０にアクセスした後、利用者自身の利用者情報の登録を操作部８１を介して利用者端末８０に指示することができる。利用者端末８０の制御部８６は、利用者情報の登録が指示されると、この利用者情報の登録を、利用者端末８０にインストールされているアプリケーション経由や、利用者端末８０のＷｅｂブラウザー上で動作するＷｅｂアプリケーション経由で、図１０に示すように、クーポン発行システム７０に依頼する（Ｓ１０１）。ここで、利用者情報のうち、例えば、利用者の姓名と、利用者の性別と、利用者の生年月日と、利用者の携帯電話番号と、利用者の電子メールアドレスと、利用者のパスワードとは、操作部８１を介して利用者端末８０に入力されたものでも良い。また、利用者情報のうち、例えば、利用者の身分証明書は、Ｗｅｂカメラ８３によって撮影されたものでも良いし、図示していないスキャナーによって読み取られたものでも良い。また、利用者情報のうち、例えば、利用者の顔識別情報は、Ｗｅｂカメラ８３によって撮影された顔画像そのものでも良いし、セキュリティーのために、この顔画像が、利用者端末８０にインストールされているアプリケーションや、利用者端末８０のＷｅｂブラウザー上で動作するＷｅｂアプリケーションによって特定の変換規則で数値化されたものでも良い。
【００６５】
クーポン発行システム７０の利用者情報管理部７５ａは、Ｓ１０１における依頼を受けると、Ｓ１０１において登録が依頼された利用者情報を利用者情報リスト７４ｃに登録し（Ｓ１０２）、登録の完了を利用者に通知する（Ｓ１０３）。
【００６６】
利用者情報管理部７５ａは、Ｓ１０３における通知の方法として、例えば、利用者端末８０にインストールされているアプリケーション経由や、利用者端末８０のＷｅｂブラウザー上で動作するＷｅｂアプリケーション経由で通知する方法を採用しても良い。利用者端末８０は、クーポン発行システム７０から通知された内容を表示部８２に表示する。したがって、利用者は、Ｓ１０３における通知の内容を利用者端末８０の表示部８２を介して確認することができる。
【００６７】
また、利用者情報管理部７５ａは、Ｓ１０３における通知の方法として、例えば、Ｓ１０２において登録した利用者情報に含まれる電子メールアドレス宛ての電子メールによって通知する方法を採用しても良い。利用者端末８０は、この電子メールを受信して、受信した電子メールの内容を表示部８２に表示することができる。したがって、利用者は、Ｓ１０３における通知の内容を利用者端末８０の表示部８２を介して確認することができる。
【００６８】
なお、以上においては、利用者が利用者端末８０を介して利用者情報をクーポン発行システム７０に登録する場合について説明している。利用者は、利用者端末８０を介したクーポン発行システム７０への利用者情報の登録と同様に、携帯端末９０を介して利用者情報をクーポン発行システム７０に登録することも可能である。携帯端末９０を介して利用者情報がクーポン発行システム７０に登録される場合、利用者の顔画像としては、携帯端末９０のカメラ９３によって撮影されたものが使用されても良い。
【００６９】
次に、クーポンの発行用のシリアル番号が利用者に通知される場合のシステム１０の動作について説明する。
【００７０】
図１１は、クーポンの発行用のシリアル番号が利用者に通知される場合のシステム１０の動作のシーケンス図である。
【００７１】
クーポン発行システム７０に利用者情報が登録されている利用者は、利用者端末８０にインストールされているアプリケーション経由や、利用者端末８０のＷｅｂブラウザー上で動作するＷｅｂアプリケーション経由でクーポン発行システム７０にログインしている場合に、クーポンの申請を操作部８１を介して利用者端末８０に指示することができる。利用者端末８０の制御部８６は、クーポンの申請が指示されると、このクーポンの申請を、利用者端末８０にインストールされているアプリケーション経由や、利用者端末８０のＷｅｂブラウザー上で動作するＷｅｂアプリケーション経由で、図１１に示すように、クーポン発行システム７０に依頼する（Ｓ１２１）。
【００７２】
クーポン発行システム７０の対応関係情報管理部７５ｂは、Ｓ１２１における依頼を受けると、Ｓ１２１において依頼されたクーポンの発行のためにシリアル番号リスト７４ｂに記憶されているシリアル番号のうち、未だ対応関係情報７４ｄにおいて利用者に対応付けられていない１つのシリアル番号を、Ｓ１２１における依頼元である利用者に対応付けて、対応関係情報７４ｄに記憶する（Ｓ１２２）。なお、対応関係情報管理部７５ｂは、酒、タバコなどの年齢確認が必要な商品のクーポンに関しては、利用者情報リスト７４ｃに含まれる利用者の生年月日に基づいて利用者の年齢を取得し、利用者の年齢に問題がない場合に限って、シリアル番号を対応関係情報７４ｄに記憶する。
【００７３】
対応関係情報管理部７５ｂは、Ｓ１２２の処理の後、Ｓ１２２において利用者に対応付けて対応関係情報７４ｄに記憶したシリアル番号を利用者に通知する（Ｓ１２３）。
【００７４】
対応関係情報管理部７５ｂは、Ｓ１２３における通知の方法として、例えば、利用者端末８０にインストールされているアプリケーション経由や、利用者端末８０のＷｅｂブラウザー上で動作するＷｅｂアプリケーション経由で通知する方法を採用しても良い。利用者端末８０は、クーポン発行システム７０から通知された内容を表示部８２に表示する。したがって、利用者は、Ｓ１２３における通知の内容を利用者端末８０の表示部８２を介して確認することができる。
【００７５】
また、対応関係情報管理部７５ｂは、Ｓ１２３における通知の方法として、例えば、Ｓ１２１における依頼元である利用者の利用者情報に含まれる電子メールアドレス宛ての電子メールによって通知する方法を採用しても良い。利用者端末８０は、この電子メールを受信して、受信した電子メールの内容を表示部８２に表示することができる。したがって、利用者は、Ｓ１２３における通知の内容を利用者端末８０の表示部８２を介して確認することができる。
【００７６】
なお、以上においては、利用者が利用者端末８０を介してクーポンをクーポン発行システム７０に申請する場合について説明している。利用者は、利用者端末８０を介したクーポン発行システム７０へのクーポンの申請と同様に、携帯端末９０を介してクーポンをクーポン発行システム７０に申請することも可能である。
【００７７】
次に、カメラ有り画像形成システム２０によってクーポンが発行される場合のシステム１０の動作について説明する。
【００７８】
図１２は、カメラ有り画像形成システム２０によってクーポンが発行される場合にカメラ有り画像形成システム２０にワンタイムパスワードが入力されるまでのシステム１０の動作のシーケンス図である。
【００７９】
クーポン発行システム７０によってシリアル番号が通知された利用者は、クーポンの発行のために、カメラ有り画像形成システム２０が設置されている店舗に訪れて、Ｓ１２３において通知されたシリアル番号をキオスク端末４０の操作部４１を介してカメラ有り画像形成システム２０に入力することができる。ＭＦＰ３０の制御部３８は、キオスク端末４０の操作部４１を介してシリアル番号が入力されると、図１２に示すように、操作部４１を介して入力されたシリアル番号を受け付ける（Ｓ１４１）。
【００８０】
次いで、制御部３８は、ＭＦＰ３０にキオスク端末およびコインベンダーのいずれが接続されていると検知したかを判断する（Ｓ１４２）。
【００８１】
制御部３８は、ＭＦＰ３０にコインベンダーではなくキオスク端末４０が接続されていると検知したとＳ１４２において判断すると、キオスク端末４０のカメラ４３による利用者の顔の撮影の要求を、キオスク端末４０の表示部４２を介して利用者に通知する（Ｓ１４３）。
【００８２】
利用者は、Ｓ１４３における通知を受けて、キオスク端末４０のカメラ４３による利用者自身の顔の撮影をキオスク端末４０の操作部４１を介してカメラ有り画像形成システム２０に指示することができる。ＭＦＰ３０の制御部３８は、カメラ４３による利用者の顔の撮影が指示されると、カメラ４３によって利用者の顔を撮影する（Ｓ１４４）。
【００８３】
制御部３８は、Ｓ１４４において顔画像を取得すると、Ｓ１４１において受け付けたシリアル番号と、Ｓ１４４において取得した顔画像との組み合わせの照会をクーポン発行システム７０に依頼する（Ｓ１４５）。
【００８４】
クーポン発行システム７０の利用者認証部７５ｄは、Ｓ１４５における依頼を受けると、図１３に示す照会処理を実行する（Ｓ１４６）。
【００８５】
図１３は、図１２に示す照会処理のフローチャートである。
【００８６】
図１３に示すように、クーポン発行システム７０の利用者認証部７５ｄは、Ｓ１４５における依頼など、今回の照会処理のきっかけとなった依頼に顔画像が含まれるか否かを判断する（Ｓ１８１）。
【００８７】
利用者認証部７５ｄは、顔画像が含まれるとＳ１８１において判断すると、今回の照会処理のきっかけとなった依頼に含まれる顔画像と、利用者情報リスト７４ｃに含まれる顔識別情報とに基づいて、利用者の認証を実行する（Ｓ１８２）。
【００８８】
利用者認証部７５ｄは、顔画像が含まれないとＳ１８１において判断すると、今回の照会処理のきっかけとなった依頼に含まれる身分証明書の画像と、利用者情報リスト７４ｃに含まれる身分証明書の画像とに基づいて、利用者の認証を実行する（Ｓ１８３）。
【００８９】
利用者認証部７５ｄは、Ｓ１８２またはＳ１８３の処理の後、Ｓ１８２またはＳ１８３における認証が成功したか否かを判断する（Ｓ１８４）。
【００９０】
利用者認証部７５ｄは、利用者の認証が成功したとＳ１８４において判断すると、今回の照会処理のきっかけとなった依頼に含まれるシリアル番号がＳ１８２またはＳ１８３における認証によって特定した利用者に対応関係情報７４ｄにおいて対応付けられているか否かを判断する（Ｓ１８５）。
【００９１】
利用者認証部７５ｄは、対応付けられているとＳ１８５において判断すると、今回の照会処理のきっかけとなった依頼に含まれるシリアル番号によって特定されるクーポンが発行済みであるか否かを印刷履歴情報７４ｆに基づいて判断する（Ｓ１８６）。
【００９２】
利用者認証部７５ｄは、発行済みではないとＳ１８６において判断すると、照会に問題がないと判定して（Ｓ１８７）、図１３に示す照会処理を終了する。
【００９３】
利用者認証部７５ｄは、利用者の認証が失敗したとＳ１８４において判断するか、対応付けられていないとＳ１８５において判断するか、発行済みであるとＳ１８６において判断すると、照会に問題があったと判定して（Ｓ１８８）、図１３に示す照会処理を終了する。
【００９４】
図１２に示すように、クーポン発行システム７０の利用者認証部７５ｄは、Ｓ１４６の照会処理の後、この照会処理のＳ１８８において、照会に問題があったと判定した場合、照会に問題があった旨をカメラ有り画像形成システム２０に通知する（Ｓ１４７）。したがって、ＭＦＰ３０の制御部３８は、例えば「このシリアル番号はご利用になれません。」などのエラー表示をキオスク端末４０の表示部４２に行って（Ｓ１４８）、図１２に示す動作を終了する。なお、ＭＦＰ３０の制御部３８は、Ｓ１４８におけるエラー表示に加えて、または、このエラー表示に代えて、このエラーの内容の印刷をプリンター３３によって実行しても良い。
【００９５】
クーポン発行システム７０の利用者認証部７５ｄは、Ｓ１４６の照会処理の後、この照会処理のＳ１８７において、照会に問題がないと判定した場合、ワンタイムパスワードを生成し（Ｓ１４９）、Ｓ１４９において生成したワンタイムパスワードを、Ｓ１４５における依頼に含まれるシリアル番号に対応付けてワンタイムパスワードリスト７４ｅに登録する（Ｓ１５０）。なお、利用者認証部７５ｄは、ワンタイムパスワードリスト７４ｅに登録したワンタイムパスワードおよびシリアル番号の組み合わせを、ワンタイムパスワードリスト７４ｅに登録した時点から特定の時間が経過した場合に、ワンタイムパスワードリスト７４ｅから削除しても良い。
【００９６】
利用者認証部７５ｄは、Ｓ１５０の処理の後、Ｓ１４９において生成したワンタイムパスワードを、Ｓ１８２またはＳ１８３における認証によって特定した利用者に利用者情報リスト７４ｃにおいて対応付けられている携帯電話番号を使用したＳＭＳ（Ｓｈｏｒｔ  Ｍｅｓｓａｇｅ  Ｓｅｒｖｉｃｅ）によって携帯端末９０に送信する（Ｓ１５１）。なお、利用者認証部７５ｄは、リアルタイム性を確保するためにワンタイムパスワードをＳＭＳによって送信することが好ましいが、電子メールなど、他の方法によってワンタイムパスワードを送信しても良い。
【００９７】
携帯端末９０の制御部９７は、Ｓ１５１において送信されてきたワンタイムパスワードを受信すると、受信したワンタイムパスワードを表示部９２に表示する（Ｓ１５２）。
【００９８】
図１４は、カメラ有り画像形成システム２０によってクーポンが発行される場合にカメラ有り画像形成システム２０にワンタイムパスワードが入力されてからのシステム１０の動作のシーケンス図である。
【００９９】
利用者は、Ｓ１５２において携帯端末９０の表示部９２に表示されたワンタイムパスワードをキオスク端末４０の操作部４１を介してカメラ有り画像形成システム２０に入力することができる。ＭＦＰ３０の制御部３８は、ワンタイムパスワードが入力されると、図１４に示すように、入力されたワンタイムパスワードの照合をクーポン発行システム７０に依頼する（Ｓ１６１）。
【０１００】
クーポン発行システム７０の利用者認証部７５ｄは、Ｓ１６１における依頼を受けると、Ｓ１６１において依頼された照合を実行する（Ｓ１６２）。ここで、利用者認証部７５ｄは、Ｓ１６１における依頼に含まれるワンタイムパスワードがワンタイムパスワードリスト７４ｅに登録されている場合に、照合が成功したと判断し、Ｓ１６１における依頼に含まれるワンタイムパスワードがワンタイムパスワードリスト７４ｅに登録されていない場合に、照合が失敗したと判断する。
【０１０１】
利用者認証部７５ｄは、Ｓ１６２の処理の後、Ｓ１６２における照合が失敗したと判断した場合、照合が失敗した旨をカメラ有り画像形成システム２０に通知する（Ｓ１６３）。したがって、ＭＦＰ３０の制御部３８は、例えば「このワンタイムパスワードはご利用になれません。」などのエラー表示をキオスク端末４０の表示部４２に行って（Ｓ１６４）、図１４に示す動作を終了する。なお、ＭＦＰ３０の制御部３８は、Ｓ１６４におけるエラー表示に加えて、または、このエラー表示に代えて、このエラーの内容の印刷をプリンター３３によって実行しても良い。
【０１０２】
利用者認証部７５ｄは、Ｓ１６２の処理の後、Ｓ１６２における照合が成功したと判断した場合、Ｓ１６１における依頼に含まれるワンタイムパスワードにワンタイムパスワードリスト７４ｅにおいて対応付けられているシリアル番号によって特定されるクーポンの画像（以下「クーポン画像」という。）を生成する（Ｓ１６５）。
【０１０３】
図１５は、図１４に示す処理において生成されたクーポン画像の一例を示す図である。
【０１０４】
図１５に示すクーポン画像２００には、クーポンを識別するためのバーコード２０１が含まれている。バーコード２０１は、バーコードリーダーによって読み取られることによって、クーポンの利用を容易化することができる。
【０１０５】
図１４に示すように、クーポン発行システム７０の利用者認証部７５ｄは、Ｓ１６５の処理の後、Ｓ１６１における依頼に含まれるワンタイムパスワードを、このワンタイムパスワードにワンタイムパスワードリスト７４ｅにおいて対応付けられているシリアル番号とともに、ワンタイムパスワードリスト７４ｅから削除する（Ｓ１６６）。
【０１０６】
利用者認証部７５ｄは、Ｓ１６６の処理の後、Ｓ１６５において生成したクーポン画像をカメラ有り画像形成システム２０に送信する（Ｓ１６７）。
【０１０７】
ＭＦＰ３０の制御部３８は、Ｓ１６７において送信されてきたクーポン画像を受信すると、受信したクーポン画像に基づいてプリンター３３によってクーポンを印刷し（Ｓ１６８）、印刷が完了すると、Ｓ１４５における依頼に含めたシリアル番号によって特定されるクーポンの発行の完了をクーポン発行システム７０に通知する（Ｓ１６９）。
【０１０８】
クーポン発行システム７０の印刷履歴情報管理部７５ｃは、Ｓ１６９における通知を受けると、Ｓ１６９において通知されたクーポンの印刷の履歴を印刷履歴情報７４ｆに追加する（Ｓ１７０）。
【０１０９】
次に、カメラ無し画像形成システム５０によってクーポンが発行される場合のシステム１０の動作について説明する。
【０１１０】
カメラ無し画像形成システム５０によってクーポンが発行される場合のシステム１０の動作は、カメラ有り画像形成システム２０によってクーポンが発行される場合にキオスク端末４０の操作部４１に入力された操作がＭＦＰ６０の操作部に入力されることと、カメラ有り画像形成システム２０によってクーポンが発行される場合にキオスク端末４０の表示部４２に表示された内容がＭＦＰ６０の表示部に表示されることと、カメラ有り画像形成システム２０によってクーポンが発行される場合のＳ１４１〜Ｓ１４６の処理がＳ２４１〜Ｓ２５０（図１６参照。）の処理に代わることとを除いて、カメラ有り画像形成システム２０によってクーポンが発行される場合のシステム１０の動作と同様である。
【０１１１】
以下、カメラ無し画像形成システム５０によってクーポンが発行される場合のシステム１０の動作における処理のうち、カメラ有り画像形成システム２０によってクーポンが発行される場合のＳ１４１〜Ｓ１４６の処理に相当する処理について説明する。
【０１１２】
図１６は、カメラ無し画像形成システム５０によってクーポンが発行される場合のシステム１０の動作の一部のシーケンス図である。
【０１１３】
クーポン発行システム７０によってシリアル番号が通知された利用者は、クーポンの発行のために、カメラ無し画像形成システム５０が設置されている店舗に訪れて、Ｓ１２３において通知されたシリアル番号をＭＦＰ６０の操作部を介してカメラ無し画像形成システム５０に入力することができる。ＭＦＰ６０の制御部は、ＭＦＰ６０の操作部を介してシリアル番号が入力されると、図１６に示すように、ＭＦＰ６０の操作部を介して入力されたシリアル番号を受け付ける（Ｓ２４１）。
【０１１４】
次いで、ＭＦＰ６０の制御部は、ＭＦＰ６０にキオスク端末およびコインベンダーのいずれが接続されていると検知したかを判断する（Ｓ２４２）。
【０１１５】
ＭＦＰ６０の制御部は、ＭＦＰ６０にキオスク端末ではなくコインベンダー５１が接続されていると検知したとＳ２４２において判断すると、利用者の携帯端末９０のカメラ９３による利用者の顔の撮影の要求を携帯端末９０に送信する（Ｓ２４３）。したがって、携帯端末９０の制御部９７は、カメラ９３による利用者の顔の撮影の要求を、携帯端末９０にインストールされているアプリケーション経由や、携帯端末９０のＷｅｂブラウザー上で動作するＷｅｂアプリケーション経由で、携帯端末９０の表示部９２を介して利用者に通知する（Ｓ２４４）。ここで、ＭＦＰ６０の制御部は、利用者の携帯端末９０のカメラ９３による利用者の顔の撮影の要求を、ＭＦＰ６０の表示部を介して利用者に通知しても良い。
【０１１６】
また、ＭＦＰ６０の制御部は、ＭＦＰ６０のスキャナーによる身分証明書の読み取りの要求を、ＭＦＰ６０の表示部を介して利用者に通知する（Ｓ２４５）。
【０１１７】
利用者は、Ｓ２４４における通知を受けて、携帯端末９０のカメラ９３による利用者自身の顔の撮影を操作部９１を介して携帯端末９０に指示することができる。携帯端末９０の制御部９７は、カメラ９３による利用者の顔の撮影が指示されると、カメラ９３によって利用者の顔を撮影し（Ｓ２４６）、Ｓ２４６において取得した顔画像を例えばＢｌｕｅｔｏｏｔｈ、Ｗｉ−Ｆｉ  Ｄｉｒｅｃｔなどの無線通信によってカメラ無し画像形成システム５０に送信する（Ｓ２４７）。
【０１１８】
利用者は、Ｓ２４５における通知を受けて、ＭＦＰ６０のスキャナーによる身分証明書の読み取りをＭＦＰ６０の操作部を介してカメラ無し画像形成システム５０に指示することができる。ＭＦＰ６０の制御部は、ＭＦＰ６０のスキャナーによる身分証明書の読み取りが指示されると、ＭＦＰ６０のスキャナーによって身分証明書を読み取る（Ｓ２４８）。
【０１１９】
ＭＦＰ６０の制御部は、Ｓ２４７において送信されてきた顔画像を受信するか、Ｓ２４８において身分証明書の画像を取得すると、Ｓ２４１において受け付けたシリアル番号と、Ｓ２４７において送信されてきた顔画像、または、Ｓ２４８において取得した身分証明書の画像との組み合わせの照会をクーポン発行システム７０に依頼する（Ｓ２４９）。
【０１２０】
クーポン発行システム７０の利用者認証部７５ｄは、Ｓ２４９における依頼を受けると、図１３に示す照会処理を実行する（Ｓ２５０）。
【０１２１】
なお、Ｓ２５０より後の処理は、図１２および図１４に示す動作におけるＳ１４６より後の処理と同様であるので、説明を省略する。
【０１２２】
利用者は、カメラ有り画像形成システム２０またはカメラ無し画像形成システム５０によってクーポンが発行されると、発行されたクーポンを店員に提示する。店員は、クーポンが提示されると、例えば、クーポンに記載されているバーコードをＰＯＳ（Ｐｏｉｎｔ  Ｏｆ  Ｓａｌｅｓ）レジのバーコードリーダーによって読み取るなどして、このクーポンの内容をＰＯＳレジに認識させる。そして、ＰＯＳレジは、認識した内容に基づいて、このクーポンが有効であるか否かを判断し、クーポンが無効である場合には、その旨を表示する。したがって、店員は、クーポンを利用することができない旨を口頭で利用者に伝えることができる。一方、ＰＯＳレジは、クーポンが有効である場合には、このクーポンによる特典を利用者に提供する。例えば、クーポンによる特典が商品の値段の割り引きである場合、ＰＯＳレジは、該当の商品の値段を会計時に割り引くことができる。なお、使用済みのクーポンは、例えば、店員によって回収されて、複数の店舗を管理する本部に集められる。本部では、集められたクーポンを分析して、例えば、クーポンの利用状況を把握することができる。
【０１２３】
以上に説明したように、印刷システムは、特定の情報に基づいて利用者を認証する特定情報認証を実行する（Ｓ１８２またはＳ１８３）場合に、特定情報認証に使用する情報を、ＭＦＰに接続されているデバイスに応じたものにする（Ｓ１４２〜Ｓ１４５、または、Ｓ２４２〜Ｓ２４９）ので、ＭＦＰに接続されているデバイスに応じて利用者を適切に認証することができる。したがって、印刷システムは、例えば、シリアル番号が転売されたりして正式な利用者以外の者によって不正に利用されることを防止することができる。
【０１２４】
印刷システムは、カメラを備えたキオスク端末がＭＦＰに接続されている場合、ＭＦＰに接続されているキオスク端末のカメラによって撮影した利用者の画像に基づいて利用者を認証する（Ｓ１４３〜Ｓ１４６）ので、利用者によって携帯される携帯端末のカメラによって撮影した利用者の画像に基づいて利用者を認証する構成と比較して、利便性を向上することができる。
【０１２５】
印刷システムは、カメラを備えていないコインベンダーがＭＦＰに接続されている場合、ＭＦＰに接続されているコインベンダーがカメラを備えていなくても、利用者によって携帯される携帯端末のカメラによって撮影した利用者の画像に基づいて利用者を認証する（Ｓ２４３〜Ｓ２４４、Ｓ２４６〜Ｓ２４７、および、Ｓ２４９〜Ｓ２５０）ので、利用者の身分証明書の画像に基づいて利用者を認証する構成と比較して、利用者のなりすましを防止する能力を向上することができる。
【０１２６】
なお、印刷システムは、カメラを備えたキオスク端末がＭＦＰに接続されている場合にも、利用者によって携帯される携帯端末のカメラによって撮影した利用者の画像に基づいて利用者を認証することが可能でも良い。
【０１２７】
印刷システムは、カメラを備えていないコインベンダーがＭＦＰに接続されている場合、ＭＦＰに接続されているコインベンダーがカメラを備えていなくても、利用者によって携帯される携帯端末のカメラを使用せずに、ＭＦＰのスキャナーによって読み取った身分証明書の画像に基づいて利用者を認証する（Ｓ２４５、および、Ｓ２４８〜Ｓ２５０）ので、利便性を向上することができる。特に、利用者によって携帯されている携帯端末がカメラを備えていない場合や、利用者によって携帯されている携帯端末のカメラの解像度が低いためにＳ１８２における認証に必要な解像度の顔画像が取得されることができない場合などに、利便性を向上することができる。
【０１２８】
なお、印刷システムは、カメラを備えたキオスク端末がＭＦＰに接続されている場合にも、ＭＦＰのスキャナーによって読み取った身分証明書の画像に基づいて利用者を認証することが可能でも良い。
【０１２９】
印刷システムは、特定情報認証（Ｓ１８２またはＳ１８３）が成功した場合に、利用者によって携帯される携帯端末にワンタイムパスワードを通知し（Ｓ１５１）、ＭＦＰに入力されたワンタイムパスワードに基づいて利用者を認証するワンタイムパスワード認証を実行し（Ｓ１６２）、ワンタイムパスワード認証が成功しなかったときにクーポン画像を印刷しない。この構成により、印刷システムは、ＭＦＰと、携帯端末とを連携させた２段階認証を実現するので、利用者の認証の正確性を向上することができる。
【０１３０】
印刷システムは、ＭＦＰに入力されたシリアル番号が、ＭＦＰに接続されているキオスク端末のカメラによって撮影した利用者の画像と、利用者によって携帯される携帯端末のカメラによって撮影した利用者の画像と、ＭＦＰのスキャナーによって読み取った利用者の身分証明書の画像とのいずれかに基づいて認証された利用者に、対応関係情報７４ｄにおいて対応付けられていなければ（Ｓ１８５でＮＯ）、このシリアル番号によって特定されるクーポン画像を印刷しないので、利用者に対応付けられていないクーポン画像の不正な印刷を防止することができる。
【０１３１】
印刷システムは、ＭＦＰに入力されたシリアル番号によって特定されるクーポン画像がＭＦＰによって既に１回印刷済みである場合（Ｓ１８６でＹＥＳ）に、このシリアル番号によって特定されるクーポン画像を印刷しないので、クーポン画像が１回を超えて不正に印刷されることを防止することができる。
【０１３２】
印刷システムは、本実施の形態において１度でも印刷したクーポン画像を再度印刷することがない。しかしながら、印刷システムは、印刷履歴情報７４ｆを使用して同一のクーポン画像を２回以上の特定の回数まで印刷可能にしても良いし、印刷の回数制限を無くしても良い。
【０１３３】
クーポンの識別情報は、本実施の形態においてシリアル番号であるが、ユニークな情報であれば、シリアル番号でなくても良い。
【０１３４】
本発明の画像形成装置は、本実施の形態においてＭＦＰであるが、プリンター専用機など、ＭＦＰ以外の画像形成装置でも良い。
【符号の説明】
【０１３５】
１０  システム
２０  カメラ有り画像形成システム（印刷システムの一部）
３０  ＭＦＰ（画像形成装置）
４０  キオスク端末（カメラを備えているデバイス）
４３  カメラ
５０  カメラ無し画像形成システム（印刷システムの一部）
５１  コインベンダー（カメラを備えていないデバイス）
６０  ＭＦＰ（画像形成装置）
７０  クーポン発行システム（印刷システムの一部）
７４ｄ  対応関係情報
７４ｆ  印刷履歴情報
７５ｂ  対応関係情報管理部
７５ｃ  印刷履歴情報管理部
７５ｄ  利用者認証部
９０  携帯端末
９３  カメラ
２００  クーポン画像（特定の画像）
【図１】
2020113091.tif 000003
【図２】
2020113091.tif 000004
【図３】
2020113091.tif 000005
【図４】
2020113091.tif 000006
【図５】
2020113091.tif 000007
【図６】
2020113091.tif 000008
【図７】
2020113091.tif 000009
【図８】
2020113091.tif 000010
【図９】
2020113091.tif 000011
【図１０】
2020113091.tif 000012
【図１１】
2020113091.tif 000013
【図１２】
2020113091.tif 000014
【図１３】
2020113091.tif 000015
【図１４】
2020113091.tif 000016
【図１５】
2020113091.tif 000017
【図１６】
2020113091.tif 000018